(57)【要約】  【課題】    経済的な仮締切構造体を得ること。  【解決手段】  仮締切構造体１８は、複数のプレキャストパネル２０を備え、分離可能に連結して、橋梁基礎などの水中構造物の外周を囲撓するように設置される。パネル２０は、標準パネル２２と異形パネル２４とから構成されている。パネル２２は、所定の幅と長さとを備えた直線状の長方形状に形成され、パネル２４は、平面形状がく字型に屈折した屈曲板状のものである。構造体１８の平行な部分は、５枚のパネル２２が相互に連結されている。また、多角形部分は、４枚の異形パネル２４と３枚の標準パネル２２とを交互に連結することにより、多角形が形成されている。各パネル２２，２４の連結には、ボルトナット３２が用いられ、このボルトナット３２の締結構造により、各パネル２２，２４は、分離可能に連結されている。【選択図】      図２
2005350979.tif 000002
【特許請求の範囲】
【請求項１】
複数のプレキャストパネルを、止水部材を介装して連結して、橋梁基礎などの水中構造物の外周を囲撓する閉塞した断面形状に設置され、前記水中構造物の修理，補強などの改修を行う際に用いる仮締切構造体において、
前記プレキャストパネルは、平板状の標準パネルと、平面形状がく字型に屈折した屈曲板状、ないしは、平面形状が湾曲した曲板状の異形パネルとを備え、
前記標準パネルと前記異形パネルとを分離可能に連結して、閉塞断面形状に形成することを特徴とする仮締め切り構造体。
【請求項２】
複数のプレキャストパネルを、止水部材を介装して連結して、橋梁基礎などの水中構造物の外周を囲撓する閉塞した断面形状の仮締切構造体を設置し、前記仮締切構造体の内部を排水して、前記水中構造物の修理，補強などの改修を行う仮締切工法において、
前記プレキャストパネルは、平板状の標準パネルと、平面形状がく字型に屈折した屈曲板状、ないしは、平面形状が湾曲した曲板状の異形パネルとを備え、
前記標準パネルと前記異形パネルとを分離可能に連結して、閉塞断面形状の前記仮締切構造体を形成することを特徴とする仮締切工法。
【請求項３】
前記水中構造物に、前記仮締切構造体の前記プレキャストパネルの下端側を着脱可能に支持する枠体を予め設置することを特徴とする請求項２記載の仮締切工法。
【発明の詳細な説明】
【技術分野】
【０００１】
この発明は、既設橋脚基礎などの水中構造物を修理補強などの改修を行う際に用いられる仮締切構造体および仮締切工法に関するものである。
【背景技術】
【０００２】
仮締切構造体は、橋梁基礎などの水中構造物の改修を行う際に用いられ、プレキャストパネルを利用した仮締切構造体が、例えば、特許文献１に開示されている。
【０００３】
この特許文献１に開示されている仮締切構造体は、上空制限のある個所に好適に用いられるものであって、このような制限に対応するために、パネルを上下に分割し、施工現場でこれを積層するようにしていた。ところが、このような構成の仮締切構造体および仮締切工法には、仮締切工構造体の設置や撤去に大きなコストがかかり、工期も長くなるという技術的な課題があった。
【０００４】
そこで、本願発明者らは、このような課題が解決できる仮締切構造体および仮締切工法を開発して、特許文献２で既に提案している。この特許文献２に提案されている仮締切構造体は、水中構造物の外周を囲繞する複数の環状組立体を有していて、水中構造物の基礎部分に立設され、複数の環状組立体間を上下に貫通するようにアンカーを設置して、このアンカーに緊張力を導入して、最上段の環状組立体に定着させている。
【０００５】
また、各環状組立体は、所定高さの環状体を周方向に沿って、複数に分割したプレキャストパネルユニットを周方向の端部間に縦シール材を介装して、相互に連結したものであり、上下方向に積層される環状組立体の上下接合面には、横シール材を介装している。
【０００６】
このような構成の仮締切構造体は、コストの増加や工期の長期化を招くことなく、せん断方向の力に対抗することができるものではあるが、以下に説明する技術的な課題があった。
【特許文献１】特開平１１−２１９０８号公報
【特許文献２】特願２００３−２７９５５０号
【発明の開示】
【発明が解決しようとする課題】
【０００７】
すなわち、特許文献２に提案されている仮締切構造体は、橋梁基礎などの改修対象となる水中構造物の形状寸法に合わせて、鋼製のプレキャストパネルを設計・製作して、各現場に適用している。
【０００８】
このため、プレキャストパネルが一現場ごとのオーダーメイドとなり、工事完了後は、基本的に廃材として取り扱われるので、コストダウンの障害になっていた。
【０００９】
本発明は、このような従来の問題点に鑑みてなされたものであって、その目的とするところは、プレキャストパネルを転用可能にすることで、大幅なコストダウンを達成することができる仮締切構造体および仮締切工法を提供することにある。
【課題を解決するための手段】
【００１０】
上記目的を達成するために、本発明は、複数のプレキャストパネルを、止水部材を介装して連結して、橋梁基礎などの水中構造物の外周を囲撓する閉塞した断面形状に設置され、前記水中構造物の修理，補強などの改修を行う際に用いる仮締切構造体において、前記プレキャストパネルは、平板状の標準パネルと、平面形状がく字型に屈折した屈曲板状、ないしは、平面形状が湾曲した曲板状の異形パネルとを備え、前記標準パネルと前記異形パネルとを分離可能に連結して、閉塞断面形状に形成するようにした。
【００１１】
また、本発明は、複数のプレキャストパネルを、止水部材を介装して連結して、橋梁基礎などの水中構造物の外周を囲撓する閉塞した断面形状の仮締切構造体を設置し、前記仮締切構造体の内部を排水して、前記水中構造物の修理，補強などの改修を行う仮締切工法において、前記プレキャストパネルは、平板状の標準パネルと、平面形状がく字型に屈折した屈曲板状、ないしは、平面形状が湾曲した曲板状の異形パネルとを備え、前記標準パネルと前記異形パネルとを分離可能に連結して、閉塞断面形状の前記仮締切構造体を形成するようにした。
【００１２】
このように構成した仮締切構造体および仮締切工法によれば、複数のプレキャストパネルは、平板状の標準パネルと、平面形状がく字型に屈折した屈曲板状、ないしは、平面形状が湾曲した曲板状の異形パネルとを備え、標準パネルと異形パネルとを分離可能に連結して、閉塞断面形状の仮締切構造体を形成するので、使用後に分離すると、標準パネルおよび異形パネルは、他の施工現場での転用が可能になる。
【００１３】
前記水中構造物に、前記仮締切構造体の前記プレキャストパネルの下端側を着脱可能に支持する枠体を予め設置することができる。
【発明の効果】
【００１４】
本発明にかかる仮締切構造体および仮締切工法によれば、プレキャストパネルの転用が可能になるので、大幅なコストダウンを達成することができる。
【発明を実施するための最良の形態】
【００１５】
以下、本発明の好適な実施の形態について、添付図面に基づいて詳細に説明する。
【実施例１】
【００１６】
図１から図４は、本発明にかかる仮締切構造体および仮締切工法の一実施例を示している。これらの図に示す仮締切構造体および仮締切工法は、水中構造物である橋梁１０の修理，補強などの改修工事を行う際に適用され、本実施例ではこのような適用例を示している。
【００１７】
橋梁１０は、橋脚１２と、その下端に一体的に形成された基礎部分であるフーチング１４とを備えている。橋脚１２は、その水平断面が小判形のものであり、フーチング１４も、平面形状が橋脚１２と相似形の小判形状に形成されていて、その下端の一部が水底地盤１６中に埋没している。
【００１８】
本実施例の仮締切構造体１８は、複数のプレキャストパネル２０を備えている。仮締切構造体１８は、フーチング１４の上面に固設される枠体２６に、下端側が着脱可能に設置され、かつ、橋脚１２の外周を囲撓するように設置され、その内部側の水を排水して、橋脚１２の外周にドライな環境条件を創出し、橋脚１２の修理，補強などの改修を行う際に使用される。
【００１９】
なお、枠体２６は、橋脚１２の外周を周回する仮締切構造体１８と同じ形状に形成され、アンカー２８によりフーチング１４に固定される。また、この枠体２６内には、仮締切構造体１８の下端に当接して止水性を確保するパッキンが設けられる。
【００２０】
本実施例の場合、小判形状に形成された仮締切構造体１８は、３段状に積層されて、橋脚１２の外周を囲繞して、水面上に突出するように形成される。なお、詳細は図示していないが、段状に積層される仮締切構造体１８間には、止水性のパッキンが介装される。
【００２１】
また、段状に積層された仮締切構造体１８は、これを上下方向に貫通するように設置されるアンカーボルト３０により固定される。この場合、アンカーボルト３０は、仮締切構造体１８の形状に沿って、所定の間確を隔てて複数設置され、各アンカーボルト３０は、下端側が枠体２６に固定され、上端側は、最上段の仮締切構造体１８にナット３１を装着して定着される。
【００２２】
本実施例の場合、仮締切構造体１８は、図２にその平面形状を示すように、予め工場生産により製造される複数のプレキャストパネル２０を備えている。このプレキャストパネル２０は、同じ厚みを有する標準パネル２２と異形パネル２４とから構成されている。この場合、特に、異形パネル２４は、圧力や加圧状態によって、標準パネル２２と異なる厚みにしたり、あるいは、リブなどの補強手段を変更して、増強するなどが可能である。
【００２３】
これらのプレキャストパネル２０は、例えば、鋼製ないしは鉄筋コンクリート製の平板状のものであって、その詳細を図３，４に示すように、標準パネル２２は、所定の幅と長さとを備えた直線状の長方形状に形成されている。異形パネル２４は、平面形状がく字型に屈折した屈曲板状のものであって、本実施例の場合、屈折角度が３０°になっている。
【００２４】
本実施例の場合、仮締切構造体１８は、図２にその平面形状を示すように、小判断面の橋脚１２の外周を覆う小判に類似した多角形形状になっていて、小判の長軸側に沿った一対の平行な部分と、この平行な部分の両端に連結される多角形部分とを備えた閉塞断面形状になっている。
【００２５】
このような形状の仮締切構造体１８において、平行な部分は、５枚の標準パネル２２が相互に連結されて、この部分が形成されている。また、多角形部分は、４枚の異形パネル２４と３枚の標準パネル２２とを交互に連結することにより、多角形が形成されている。
【００２６】
各パネル２２，２４の連結には、ボルトナット３２が用いられ、このボルトナット３２の締結構造により、各パネル２２，２４は、分離可能に連結されている。なお、各パネル２２，２４の連結部分には、止水性のパッキンが介装されている。
【００２７】
このような形成した仮締切構造体１８では、橋脚１２の改修などの工事が終了すると、ボルトナット３２の締結を取外すと、各パネル２２，２４は、分離することができるので、そのまま他の工事現場に転用することができる。
【００２８】
次に、上記構成の仮締切構造体１８を用いる仮締切工法について説明する。橋脚１２の補修などを行う場合には、まず、図１に示すように、フーチング１４の上面に枠体２６が、橋脚１２の外周を周回するように、所定形状に形成される。
【００２９】
枠体２６がアンカー２８によりフーチング１４に固定されると、枠体２６の内部に下端側を挿入するようにして、仮締切構造体１８が設置される。この場合、仮締切構造体１８は、枠体２６に対して、下端側が着脱可能に設置されるとともに、これらの間に止水用パッキンが介装される。
【００３０】
仮締切構造体１８は、標準用パネル２２および異形パネル２４からなるプレキャストパネル２０を相互に連結することにより、橋脚１２の外周を囲繞する閉塞断面形状に形成される。
【００３１】
複数のプレキャストパネル２０で小判形状の仮締切構造体１８を形成する際には、仮締切構造体１８の小判形の平面形状において、平行な部分は、５枚の標準パネル２２をボルトナットで３２で相互に連結して、ほぼ一直線状になるようする。
【００３２】
また、この平行な部分の両端側の多角形部分においては、４枚の異形パネル２４と３枚の標準パネル２２とを、ボルトナット３２で相互に連結して、平行部゛分に連なる多角形部分を形成する。この場合、各パネル２２，２４間の連結部分には、止水性を確保するためなパッキンを介装する。
【００３３】
１段分の仮締切構造体１８が形成されると、順次上段側の仮締切構造体１８を積層形成するが、この際に、構造体１８間には、止水用のパッキンを介装し、所定段数の仮締切構造体１８が形成されると、アンカーボルト３０にナット３１を装着して定着させると、所要の仮締切構造体１８が得られる。構築された仮締切構造体１８の内部側には、内部支保工３４や支保用ジッャキ３６を設置して、形状や構造の安定化を図る。
【００３４】
橋脚１２の補強，改修が終了すると、仮締切構造体１８の解体撤去を行うことになるが、この場合には、ボルトナット３２を取外すと、各パネル２２，２４は、分離することができるので、そのまま他の工事現場に転用することができる。
【００３５】
さて、以上のように構成した仮締切構造体および仮締切工法によれば、複数のプレキャストパネル２０は、平板状の標準パネル２２と、平面形状がく字型に屈折した屈曲板状の異形パネル２４とを備え、標準パネル２２と異形パネル２４とを分離可能に連結して、閉塞断面形状の仮締切構造体１８を形成するので、使用後に分離すると、標準パネル２２および異形パネル２４は、他の施工現場での転用が可能になる。
【００３６】
図５および図６は、上記実施例１で示した異形パネル２４の変形例であり、図５には、屈折角度を４５°とした異形パネル２４ａが示され、図６には、屈折角度を６０°とした異形パネル２４ｂが示されている。
【００３７】
これらの異形パネル２４ａ，２４ｂは、標準パネル２２ａ，２４ｂとボルトナット３２を介して、分離可能に連結されて、上記実施例と同様に閉塞断面形状の仮締切構造体を形成する際に用いられ、上記実施例と同等の作用効果が得られるものである。
【００３８】
なお、上記した各異形パネル２４，２４ａ，２４ｂは、それぞれ単独で標準パネル２２，２２ａ，２２ｂと組合わせて、仮締切構造体を形成することができるとともに、任意の２つの異形パネル同士の組合わせ、あるいは、全部の異形パネル同士の組合わせと、標準パネルとを組合わせることも可能である。
【実施例２】
【００３９】
図７から図９は、本発明にかかる仮締切構造体および仮締切工法の他の実施例を示しており、上記実施例と同一もしくは相当する部分には、同一符号を付してその説明を省略するとともに、以下にその特徴点についてのみ詳述すむる。
【００４０】
これらの図に示す仮締切構造体および仮締切工法は、上記実施例と同様に、水中構造物である橋梁１０ｃの修理，補強などの改修工事を行う際に適用される。橋梁１０ｃは、橋脚１２ｃと、その下端に一体的に形成された基礎部分であるフーチングとを備え、橋脚１２ｃは、その水平断面が長方形状になっている。
【００４１】
橋脚１２ｃの外周を囲繞する仮締切構造体１８ｃは、本実施例の場合、閉塞した断面形状である概略長方形状に形成され、同じ厚みを備えたプレキャスト製品であって標準パネル２２ｃと異形パネル２４ｃとから構成されている。
【００４２】
標準パネル２２ｃは、上記実施例と同様に、所定の幅と長さとを備えた直線状の長方形状に形成されている。異形パネル２４ｃは、本実施例の場合、平面形状が湾曲した曲板状のものであって、中心角度が４５°になっている。
【００４３】
このような異形パネル２４ｃは、各角部に一対が相互に連結するように配置されていて、各パネル２２ｃ，２４ｃ間は、上記実施例と同様に、ボルトナット３２を介して、分離可能に連結される。
【００４４】
このような構成の標準パネル２２ｃと異形パネル２４ｃとを用いても上記実施例と同等の作用効果が得られる。なお、図１０に示した異形パネル２４ｃは、中心角度が４５°のものを２個連結する必要はなく、例えば、中心角度が９０°の異形パネルを用いても良い。
【００４５】
また、上記実施例では、橋脚１２の外周に、仮締切構造体１８を多段状に積層設置する場合を例示したが、本発明の実施はこれに限定されることはなく、例えば、仮締切構造体１８は、１段状のものであっても良い。
【００４６】
さらに、上記実施例では、小判ないしは長方形断面の橋脚１２の改修に本発明を適用した場合を例示したが、本発明の適用はこのような形状に限られることはなく、例えば、円形断面や多角形断面などの水中構造物などにも適用することができる。
【産業上の利用可能性】
【００４７】
本発明にかかる仮締切構造体および仮締切工法は、プレキャストパネルを他の工事現場で転用することができるので、橋脚の改修工事などに有効に活用することができる。
【図面の簡単な説明】
【００４８】
【図１】本発明にかかる仮締切構造体および仮締切工法の一実施例を示す全体説明図である。
【図２】図１の要部水平断面図である。
【図３】図２の要部拡大斜視図である。
【図４】図３の上面図である。
【図５】図１に示した異形パネルの変形例を示す上面図である。
【図６】図１に示した異形パネルの別の変形例を示す上面図である。
【図７】本発明にかかる仮締切構造体および仮締切工法の他の実施例を示す水平断面図である。
【図８】図７の要部拡大斜視図である。
【図９】図８の上面図である。
【符号の説明】
【００４９】
１０        橋梁
１２        橋脚
１４        フーチング
１８        仮締切構造体
２０        プレキャストパネル
２２，２２ａ，２２ｂ，２２ｃ    標準パネル
２４，２４ａ，２４ｂ，２４ｃ    異形パネル
３２        ボルトナット
【図１】
2005350979.tif 000003
【図２】
2005350979.tif 000004
【図３】
2005350979.tif 000005
【図４】
2005350979.tif 000006
【図５】
2005350979.tif 000007
【図６】
2005350979.tif 000008
【図７】
2005350979.tif 000009
【図８】
2005350979.tif 000010
【図９】
2005350979.tif 000011